(57)【特許請求の範囲】
【請求項１】
通管材を接続した受風部材を吸引する吸引装置を管路端に接続するためのアダプタであって、前記管路の一端に着脱自在に装着される弾性変形可能な第１の筒状接合部材と、この第１の筒状接合部材に連結パイプを介して接続され、前記吸引装置の吸引口部が接続される第２の接合部材と、前記第１の接合部材の軸線方向に形成した既設ケーブルを挟むスリットとを有することを特徴とする通管用吸引装置接続アダプタ。
【請求項２】
前記連結パイプは、建物の壁に設けた配線ボックス部に固定されるホルダに取り付けてあり、
前記ホルダは、前記配線ボックス部の対向する２辺間に渡して配置されるベース部と、このベース部の面に突設したパイプ支持片と、前記ベース部の前記パイプ支持片と対応した位置に設けたパイプ配置部と、前記パイプ支持片に設た前記連結パイプを固定する固定具とを有していることを特徴とする請求項１に記載の通管用吸引装置接続アダプタ。
【請求項３】
前記連結パイプは、透明な部材によって形成してあることを特徴とする請求項１または２に記載の通管用吸引装置接続アダプタ。
【発明の詳細な説明】
【０００１】
【発明の属する技術分野】
本発明は、管路内にロープ等の通管材を通す通管用吸引装置接続アダプタに係り、特に通管材の接続された受風部材を吸引して通管させる吸引装置を、既設ケーブルが配置してある管路に接続するのに好適な通管用吸引装置接続アダプタに関する。
【０００２】
【従来の技術】
高度情報化社会になりつつある昨今、通信ケーブルの光ケーブル化が図られており、西暦２０１０年をめどに各家庭にも光ケーブルを布設する計画が進められている。しかし、現状の一般家屋や集合住宅、オフィスビル等においては、配線用の予備配管等がされていない。そして、新たに配管を設置すると膨大なコストを必要とするところから、既設のメタルケーブルが入っている既設配管内に光ケーブルを追加、通線する必要がある。
【０００３】
一般家屋の配線用屋内配管は、内径１４ｍｍの合成樹脂性可撓電線管を使用するのが一般的である。また、集合住宅やオフィスビルの屋内配管は、内径１６〜５１ｍｍの薄鋼電線管や可撓電線管を使うのが一般的である。そして、一般家屋や集合住宅またはオフィスビルの屋内配管への屋内ケーブルの通線作業は、従来、配管の一端から通線ワイヤを手作業によって配管内に送り込み、他端にて配管を貫通させた通線ワイヤの先端に新設する屋内ケーブルを連結し、通線ワイヤを送り込み側に引き戻して新設ケーブルの通線を行う方法が一般的であった。
【０００４】
【発明が解決しようとする課題】
しかし、配管内に既設屋内ケーブルが存在している場合、通線ワイヤが既設ケーブルと絡んだりして他端まで送り込むのが非常に困難となる。また、配管の曲り個所が多い場合（例えば、曲りが３個所以上）や配管が例えば２５ｍ以上と長い場合にも、細い屋内配管に通線ワイヤを送り込むことが困難となる。しかも、既設の屋内ケーブルが存在している場合、通線ワイヤを送り込む際に、既設ケーブルを損傷するおそれがある。
【０００５】
本発明は、前記従来技術の欠点を解消するためになされたもので、既設ケーブルが存在している場合であっても、通管材を容易に通すことができるようにすることを目的としている。
【０００６】
【課題を解決するための手段】
上記の目的を達成するために、本発明に係る通管用吸引装置接続アダプタは、通管材を接続した受風部材を吸引する吸引装置を管路端に接続するためのアダプタであって、前記管路の一端に着脱自在に装着される弾性変形可能な第１の筒状接合部材と、この第１の筒状接合部材に連結パイプを介して接続され、前記吸引装置の吸引口部が接続される第２の接合部材と、前記第１の接合部材の軸線方向に形成した既設ケーブルを挟むスリットとを有する構成にしてある。連結パイプは、建物の壁に設けた配線ボックス部に固定されるホルダに取り付けるとよい。そして、ホルダは、配線ボックス部の対向する２辺間に渡して配置されるベース部と、このベース部の面に突設したパイプ支持片と、前記ベース部の前記パイプ支持片と対応した位置に設けたパイプ配置部と、前記パイプ支持片に設た連結パイプを固定する固定具とを有している構成にできる。また、連結パイプは、透明な部材によって形成するとよい。
【０００７】
【作用】
上記のごとく構成した本発明に係る通管用吸引装置接続アダプタは、管路の一端に装着する第１の接合部材を弾性変形可能に形成するとともに、第１の接合部材に軸線方向のスリットを形成して既設ケーブルを挟むようにしているため、吸引装置によって吸引した際に、スリットが吸引負圧によって閉じ、変形して管路と既設ケーブルとに密着するため、配管内の真空度を高めることができ、吸引力が増大して通管材を接続した受風部材の吸引を容易に行うことができ、通管材を容易に通すことができる。そして、連結パイプを建物の壁に設けた配線ボックス部に固定できるホルダに取り付けると、作業中にアダプタを手などによって支える必要がなく、また第１の接合部材が配管から外れるのを確実に防止することができる。さらに、連結パイプをプラスチックなどの透明な部材によって形成すると、受風部材が他端側から吸引されて到達したことを視認することができる。
【０００８】
【発明の実施の形態】
本発明に係る通管用吸引装置接続アダプタの好ましい実施の形態を添付図面に従って詳細に説明する。
【０００９】
図１は、本発明の実施の形態に係る通管用吸引装置接続アダプタの説明図である。
図１において、アダプタ１０は、円筒状の第１接合部材１２と第２接合部材１４と、これらの接合部材１２、１４を連結している連結パイプ１６とから構成してある。そして、第１接合部材１２と第２接合部材１４とは、弾力性のある変形可能な部材、例えばスポンジゴムから形成してあって、連結パイプ１６が嵌め込まれ、接着剤などによって連結パイプ１６に固着してある。また、連結パイプ１６は、アクリル樹脂やエポキシ樹脂などの透明な樹脂によってＬ字状に形成してあって、外径が後述する配線用屋内配管の外径とほぼ等しくなっている。
【００１０】
第１接合部材１２は、屋内配管の一端部に外嵌装着するもので、軸線方向に沿って１つのスリット（切れ目）１８が設けてあり、このスリット１８を２点鎖線のように拡げることにより、既設ケーブルの屋内配管からの突出部を挟み込むようにしている。また、第２接合部材１４は、屋内配管内を吸引する例えば家庭用掃除機などの吸引装置の吸込み口を接続するようになっている。
【００１１】
このように構成してあるアダプタ１０は、図２に示したホルダ２０に固定した状態で使用される。このホルダ２０は、図２（１）に示してあるように、建物の壁に設けた配線ボックス部に固定されるベース部２２と、ベース部２２の面に起立して設けたパイプ支持片２４とを有している。パイプ支持片２４は、ベース部２２の一部を切り起こして形成してある。そして、ベース部２２には、同図（２）に示したように、パイプ支持片２４を切り起こしたことにより形成されたパイプ配置部である矩形状切欠き２６が設けてあり、この切欠き２６にアダプタ１０の連結パイプ１６を配置できるようになっている。
【００１２】
また、ベース部２２は、配線ボックス部の長手方向の対向する２辺間に渡すことができる長さを有していて、パイプ支持片２４の切欠き２６と反対側に配線ボックス内に設けたねじ部に螺着、固定するための長孔２８を有している。さらに、ベース部２２の下面には、薄いシート状のゴム３０が固着してあって、ホルダ２０を配線ボックス部に固定したときに、壁面などに疵が付かないようにしている。そして、パイプ支持片２４には、図示しないロック機構を有する一対の固定バンド（固定具）３２を有していて、この固定バンド３２によってアダプタ１０の連結パイプ１６をパイプ支持片２４に固定できるようになっている（図３（１）参照）。
【００１３】
このように構成した実施の形態の作用は、次のとおりである。
まず、新設ケーブルを通線しようとする屋内配管の両端の配線ボックス部（アウトレットボックス部）のカバーおよび、コンセントを固定した取付け板を埋め込みねじ部３６から取り外す（いずれも図示せず）。次に、図４に示したように、受風部材４４にロープや通線ワイヤなどの通管材４２を連結し、一方の配線ボックス３４側から屋内配管３８内に受風部材４４を押し込む。
【００１４】
受風部材４４は、図５のようになっていて、受風本体５０が摩擦係数の小さな部材、例えば薄いポリエチレンフィルムから形成してあって、容易に変形できるようになっている。さらに、受風本体５０は、先端側が円錐状となっているとともに、後端側も小径となるようにしてあって、何らかのトラブルにより挿入側に引き戻す際に、容易に引き戻すことができるようにしてある。また、受風本体５０は、最大径が屋内配管３８の内径より大きくしてあって、屋内配管３８の内面に接触可能となっている。さらに、受風本体５０には、後端部に筒部５２が設けてあって、この筒部５２の端面に通気孔口５４が形成され、受風本体５０内に空気を流入させることができるようにしてある。そして、筒部５２には、凧糸などのリード線５６が取り付けてあり、このリード線５６に通管材４２を結束するようになっている。
【００１５】
次に、ホルダ２０に固定したアダプタ１０の第１接合部材１２を反対側の配線ボックス３５内に挿入し、図３（１）に示したように、第１接合部材１２の先端を屋内配管３８の端部に外嵌する。このとき、図４に示したように、屋内配管３８に既設ケーブル４０が存在している場合、図１の２点鎖線に示したようにスリット１８を拡げ、屋内配管３８から出ている既設ケーブル４０をスリット１８内に挟み込む。そして、ホルダ２０のベース部２２を壁ボード４２の開口部に渡し、長孔２８を介してホルダ２０を埋め込みねじ部３６にねじ止めして固定する。その後、ホルダ１０の第２接合部材１４を一般家庭用掃除機などの吸引装置４６の吸引ホース４８の先端吸引口に差し込み、屋内配管３８の内部を吸引する。
【００１６】
吸引装置４６によって屋内配管３８内を吸引すると、第１接合部材１２のスリット１８は、吸引負圧によって閉じ、内周面が屋内配管３８の外周面に密着するとともに、挟み込んだ既設ケーブル４０とスリット１８の面とが密着する。また、屋内配管３０の他端側から押し込まれた受風部材４４は、通風孔５４から受風本体５０に空気が流入し、屋内配管３８の内面と既設ケーブル４０とに密着しつつ通管材４２を牽引してアダプタ１０側に移動する。そして、吸引装置４６を操作している作業者は、受風部材４４がアダプタ１０の透明連結パイプ１６を通過したことを目視によって確認することにより、通管材４２が屋内配管３８を通管したことを検知することができる。
【００１７】
通管材４２が通管したならば、ホルダ２０を埋め込みボルト３６から取り外したのち、受風部材４４を通管材４２から取り外し、通管材４２と図示しない新設ケーブルとを連結して配線ボックス３４側に引き戻すことにより、新設屋内ケーブルを通線することができる。なお、受風部材４４の受風本体５０だけを取り外し、リード線５６に新設ケーブルを連結してもよい。
【００１８】
このように実施の形態においては、弾性変形する第１接合部材１２にスリット１８を形成し、スリット１８に既設ケーブル４０を挟んで吸引するようにしているため、吸引負圧によってスリット１８が閉じて真空度を高めることができ、吸引装置４６として一般家庭用掃除機などの比較的吸引力の小さなものを使用しても、通管材４２を容易に通すことができる。しかも、受風本体５０は、摩擦係数の小さな変形自在なポリエチレン等によって形成するとともに、屋内配管３８の内径より大径にあるため、屋内配管３０内に既設ケーブル４０が存在していたとしても、配管３８の内面と既設ケーブル４０とに密着し、先端側の真空度が高くなって大きな吸引力が得られ、また摩擦係数が小さいので容易に吸引され、既設ケーブル４０と絡むことなく通管材４２を通すことができる。そして、アダプタ１０をホルダ２０を介して配線ボックス部に固定できるようにしているため、アダプタ１０が屋内配管３８から外れるのを確実に防止することができるとともに、アダプタ１０を作業者が保持する必要がなく、通管材４２を通す作業が容易で、作業者一人で通線作業を行うことができる。また、連結パイプ１６が透明であるため、通管材４２が通管したことを容易に視認することができる。
【００１９】
なお、前記実施の形態にホルダ２０に切欠き２６を形成した場合について説明したが、切欠きに代えてアダプタ１０を通す穴を設けてもよい。また、前記実施の形態においては、光ケーブルを通線する場合について説明したが、電力ケーブルなどを通線する場合にも適用することができる。
【００２０】
【発明の効果】
以上に説明したように、本発明によれば、管路の一端に装着する第１の接合部材を弾性変形可能に形成するとともに、第１の接合部材に軸線方向のスリットを形成して既設ケーブルを挟むようにしているため、吸引装置によって吸引した際に、スリットが吸引負圧によって閉じ、変形して管路と既設ケーブルとに密着するため、配管内の真空度を高めることができ、吸引力が増大して通管材を接続した受風部材の吸引を容易に行うことができ、通管材を容易に通すことができる。そして、連結パイプを建物の壁に設けた配線ボックス部に固定できるホルダに取り付けると、作業中にアダプタを手などによって支える必要がなく、また第１の接合部材が配管から外れるのを確実に防止することができる。さらに、連結パイプをプラスチックなどの透明な部材によって形成すると、受風部材が他端側から吸引されて到達したことを視認することができる。
【図面の簡単な説明】
【図１】本発明の実施の形態に係るアダプタの説明図である。
【図２】本発明の実施の形態に係るホルダの側面図と平面図である。
【図３】実施の形態に係るアダプタの配線ボックス部への取り付け状態を示す断面図と平面図である。
【図４】実施の形態に係るアダプタを用いた通管作業の説明図である。
【図５】実施の形態に係る受風部材の詳細説明図である。
【符号の説明】
１０            アダプタ
１２            第１接合部材
１４            第２接合部材
１６            連結パイプ
１８            スリット
２０            ホルダ
２２            ベース部
２４            パイプ支持片
２６            パイプ配置部（切欠き）
３２            固定具（固定バンド）
４４            受風部材
４６            吸引装置
５０            受風本体
５６            リード線
【図１】
0003773144.tif 000002
【図２】
0003773144.tif 000003
【図３】
0003773144.tif 000004
【図４】
0003773144.tif 000005
【図５】
0003773144.tif 000006